(57)【特許請求の範囲】
【請求項１】
被処理水に有機系凝集剤を添加して凝集沈殿処理又は凝集加圧浮上処理した処理水に、無機系凝集剤を添加して、限外ろ過膜処理及び精密ろ過膜処理のうち少なくともいずれか一方の膜ろ過処理を行う膜ろ過方法であって、
前記有機系凝集剤は、ポリアクリルアミド系凝集剤、ポリスルホン酸系凝集剤、ポリアクリル酸系凝集剤、ポリアクリル酸エステル系凝集剤、ポリアミン系凝集剤、ポリメタクリル酸凝集剤のうちの少なくともいずれか１つであり、
前記膜ろ過処理の際に、前記処理水に対して撹拌機を用いて撹拌速度２００〜１０００ｒｐｍで撹拌して剪断力を付与するか、前記処理水に酸化剤を添加するかのうち少なくともいずれか一方を行い、前記処理水中の有機系凝集剤の平均分子量を前記膜ろ過処理で使用する膜の分画分子量以下にすることを特徴とする膜ろ過方法。
【請求項２】
前記無機系凝集剤の添加量は、前記被処理水中の有機系凝集剤の濃度（ｍｇ／Ｌ）に対して、０．５倍〜７５倍の範囲であることを特徴とする請求項１に記載の膜ろ過方法。
【請求項３】
前記無機凝集剤の添加量を、前記凝集沈殿処理又は凝集加圧浮上処理した処理水において、ＬＣ−ＯＣＤにより検出される高分子有機物の濃度に応じて制御することを特徴とする請求項１〜２のいずれか１項に記載の膜ろ過方法。
【請求項４】
前記膜ろ過処理した処理水に対して、活性炭処理及び逆浸透膜処理のうち少なくともいずれか一方の後処理を行うことを特徴とする請求項１〜３のいずれか１項に記載の膜ろ過方法。
【請求項５】
前記膜ろ過処理の際に、前記処理水のランゲリア指数（ＬＳＩ）が０未満となるように、前記処理水のｐＨを調整することを特徴とする請求項１〜４のいずれか１項に記載の膜ろ過方法。
【請求項６】
被処理水に有機系凝集剤を添加して凝集沈殿処理又は凝集加圧浮上処理した処理水に、無機系凝集剤を添加する無機凝集剤添加手段と、
限外ろ過膜及び精密ろ過膜のうち少なくともいずれか一方を有し、前記無機系凝集剤を添加した処理水を膜ろ過処理する膜ろ過処理手段と、
前記膜ろ過処理の際に、前記処理水に対して撹拌速度２００〜１０００ｒｐｍで撹拌してせん断力を付与するせん断力付与手段及び前記処理水に酸化剤を添加する酸化剤添加手段のうち少なくともいずれか一方と、を備え、
前記有機系凝集剤は、ポリアクリルアミド系凝集剤、ポリスルホン酸系凝集剤、ポリアクリル酸系凝集剤、ポリアクリル酸エステル系凝集剤、ポリアミン系凝集剤、ポリメタクリル酸凝集剤のうちの少なくともいずれか１つであり、
前記せん断力の付与及び前記酸化剤の添加のうち少なくともいずれか一方により、前記処理水中の有機系凝集剤の平均分子量を前記膜ろ過処理で使用する膜の分画分子量以下にすることを特徴とする膜ろ過システム。
【請求項７】
前記無機系凝集剤の添加量は、前記被処理水中の有機系凝集剤の濃度（ｍｇ／Ｌ）に対して、０．５倍〜７５倍の範囲であることを特徴とする請求項６に記載の膜ろ過システム。
【請求項８】
前記膜ろ過処理した処理水に対して後処理を行う後処理手段を有し、
前記後処理手段は、活性炭処理手段及び逆浸透膜処理手段のうち少なくともいずれか一方を備えることを特徴とする請求項６〜７のいずれか１項に記載の膜ろ過システム。
【請求項９】
前記膜ろ過処理の際に、前記処理水のランゲリア指数（ＬＳＩ）が０未満となるように、前記処理水のｐＨを調整するｐＨ調整手段を備えることを特徴とする請求項６〜８のいずれか１項に記載の膜ろ過システム。
【発明の詳細な説明】
【技術分野】
【０００１】
本発明は、膜ろ過方法及び膜ろ過システムの技術に関する。
【背景技術】
【０００２】
従来、被処理水に有機系凝集剤を添加して、凝集沈殿処理や加圧浮上処理を行う排水処理が知られている（例えば、特許文献１参照）。
【先行技術文献】
【特許文献】
【０００３】
【特許文献１】特開平１１−５７３１３号公報
【発明の概要】
【発明が解決しようとする課題】
【０００４】
ところで、有機系凝集剤を用いた凝集沈殿処理や加圧浮上処理により得られる処理水に対して、さらに限外ろ過膜や精密ろ過膜を使用すると、膜の表面が汚染され、細孔が塞がれてしまう現象（ファウリング）が生じる場合がある。そこで、本開示の目的は、有機系凝集剤を用いた凝集沈殿処理や加圧浮上処理により得られる処理水に対して、限外ろ過膜や精密ろ過膜のファウリングを抑制し、安定した運転を可能とする膜ろ過方法及び膜ろ過システムを提供することにある。
【課題を解決するための手段】
【０００５】
（１）本実施形態の一態様は、被処理水に有機系凝集剤を添加して凝集沈殿処理又は凝集加圧浮上処理した処理水に、無機系凝集剤を添加して、限外ろ過膜処理及び精密ろ過膜処理のうち少なくともいずれか一方の膜ろ過処理を行う膜ろ過方法であって、前記有機系凝集剤は、ポリアクリルアミド系凝集剤、ポリスルホン酸系凝集剤、ポリアクリル酸系凝集剤、ポリアクリル酸エステル系凝集剤、ポリアミン系凝集剤、ポリメタクリル酸凝集剤のうちの少なくともいずれか１つである。
【０００６】
（２）上記（１）に記載の膜ろ過方法において、前記膜ろ過処理の際に、前記処理水に対して撹拌機を用いて撹拌速度２００〜１０００ｒｐｍで撹拌して剪断力を付与するか、前記処理水に酸化剤を添加するかのうち少なくともいずれか一方を行い、前記処理水中の有機系凝集剤の平均分子量を前記膜ろ過処理で使用する膜の分画分子量以下にすることが好ましい。
【０００７】
（３）上記（１）又は（２）に記載の膜ろ過方法において、前記無機系凝集剤の添加量は、前記被処理水中の有機系凝集剤の濃度（ｍｇ／Ｌ）に対して、０．５倍〜７５倍の範囲であることが好ましい。【０００８】
（４）上記（１）〜（３）のいずれか１つに記載の膜ろ過方法において、前記無機凝集剤の添加量を、前記凝集沈殿処理又は凝集加圧浮上処理した処理水において、ＬＣ−ＯＣＤにより検出される高分子有機物の濃度に応じて制御することが好ましい。【０００９】
（５）上記（１）〜（４）のいずれか１つに記載の膜ろ過方法において、前記膜ろ過処理した処理水に対して、活性炭処理及び逆浸透膜処理のうち少なくともいずれか一方の後処理を行うことが好ましい。【００１０】
（６）上記（１）〜（５）のいずれか１つに記載の膜ろ過方法において、前記膜ろ過処理の際に、前記処理水のランゲリア指数（ＬＳＩ）が０未満となるように、前記処理水のｐＨを調整することが好ましい。【００１１】
（７）本実施形態の一態様は、被処理水に有機系凝集剤を添加して凝集沈殿処理又は凝集加圧浮上処理した処理水に、無機系凝集剤を添加する無機凝集剤添加手段と、限外ろ過膜及び精密ろ過膜のうち少なくともいずれか一方を有し、前記無機系凝集剤を添加した処理水を膜ろ過処理する膜ろ過処理手段と、を備え、前記有機系凝集剤は、ポリアクリルアミド系凝集剤、ポリスルホン酸系凝集剤、ポリアクリル酸系凝集剤、ポリアクリル酸エステル系凝集剤、ポリアミン系凝集剤、ポリメタクリル酸凝集剤のうちの少なくともいずれか１つである膜ろ過システムである。
【００１２】
（８）上記（７）に記載の膜ろ過システムにおいて、前記膜ろ過処理の際に、前記処理水に対して撹拌速度２００〜１０００ｒｐｍで撹拌してせん断力を付与するせん断力付与手段及び前記処理水に酸化剤を添加する酸化剤添加手段のうち少なくともいずれか一方を備え、前記せん断力の付与及び前記酸化剤の添加のうち少なくともいずれか一方により、前記処理水中の有機系凝集剤の平均分子量を前記膜ろ過処理で使用する膜の分画分子量以下にすることが好ましい。
【００１３】
（９）上記（７）又は（８）に記載の膜ろ過システムにおいて、前記無機系凝集剤の添加量は、前記被処理水中の有機系凝集剤の濃度（ｍｇ／Ｌ）に対して、０．５倍〜７５倍の範囲であることが好ましい。【００１４】
（１０）上記（７）〜（９）のいずれか１つに記載の膜ろ過システムにおいて、前記膜ろ過処理した処理水に対して後処理を行う後処理手段を有し、前記後処理手段は、活性炭処理手段及び逆浸透膜処理手段のうち少なくともいずれか一方を備えることが好ましい。【００１５】
（１１）上記（７）〜（１０）のいずれか１つに記載の膜ろ過システムにおいて、前記膜ろ過処理の際に、前記処理水のランゲリア指数（ＬＳＩ）が０未満となるように、前記処理水のｐＨを調整するｐＨ調整手段を備えることが好ましい。
【発明の効果】
【００１６】
本実施形態による膜ろ過方法及び膜ろ過システムによれば、有機系凝集剤を用いた凝集沈殿処理や加圧浮上処理により得られる処理水に対して、限外ろ過膜や精密ろ過膜のファウリングを抑制し、安定した運転を可能とする。
【図面の簡単な説明】
【００１７】
【図１】本実施形態に係る処理システムの構成の一例を示す模式図である。
【図２】他の実施形態に係る処理システムの構成の一例を示す模式図である。
【図３】他の実施形態に係る処理システムの構成の一例を示す模式図である。
【図４】他の実施形態に係る処理システムの構成の一例を示す模式図である。
【図５】他の実施形態に係る処理システムの構成の一例を示す模式図である。
【図６】参考例における処理システムの構成を示す模式図である。
【図７】実施例１〜２、及び比較例１〜２における膜ろ過装置のろ過量（ｍ３／ｍ２）に対するろ過抵抗（１／ｍ）の結果を示す図である。
【図８】実施例３及び比較例３における膜ろ過装置のろ過量（ｍ３／ｍ２）に対するろ過抵抗（１／ｍ）の結果を示す図である。
【図９】実施例４及び比較例４における膜ろ過装置のろ過量（ｍ３／ｍ２）に対するろ過抵抗（１／ｍ）の結果を示す図である。
【発明を実施するための形態】
【００１８】
以下、本発明の実施の形態について説明する。なお、本実施形態は本発明を実施する一例であって、本発明は本実施形態に限定されるものではない。
【００１９】
図１は、本実施形態に係る処理システムの構成の一例を示す模式図である。図１に示す処理システム１は、凝集沈殿システム、膜ろ過システムを備えている。凝集沈殿システムは、第１凝集反応槽１０、有機系凝集剤添加ライン１２、凝集沈殿槽１４を備えている。膜ろ過システムは、無機系凝集剤添加手段の一例としての無機系凝集剤添加装置１５及び無機系凝集剤添加ライン１６、第２凝集反応槽１８、膜ろ過処理手段の一例としての膜ろ過装置２０を備えている。
【００２０】
第１凝集反応槽１０の入口には、被処理水配管２２が接続されている。また、接続配管２４ａの一端は第１凝集反応槽１０の出口に接続され、他端が凝集沈殿槽１４の入口に接続され、接続配管２４ｂの一端は凝集沈殿槽１４の出口に接続され、他端は第２凝集反応槽１８の入口に接続され、接続配管２４ｃの一端は第２凝集反応槽１８の出口に接続され、他端は膜ろ過装置２０の入口に接続されている。また、膜ろ過装置２０の出口には、処理水配管２６が接続されている。有機系凝集剤添加ライン１２は第１凝集反応槽１０に接続されている。また、無機系凝集剤添加ライン１６の一端は、無機系凝集剤添加装置１５に接続され、他端は第２凝集反応槽１８に接続されている。
【００２１】
無機系凝集剤添加装置１５は、例えば、無機系凝集剤を収容するタンク、無機系凝集剤を吐出するポンプ、バルブ等から構成されている。無機系凝集剤添加装置１５から供給される無機系凝集剤は、無機系凝集剤添加ライン１６を通して、第２凝集反応槽１８に供給される。本実施形態で用いられる無機系凝集剤は、例えば、ポリ塩化アルミニウム（ＰＡＣ）、硫酸バンド、塩化第二鉄、硫酸第二鉄、塩化アルミニウム、硫酸アルミニウムなどが挙げられる。
【００２２】
本実施形態で用いられる有機系凝集剤は、ポリアクリルアミド系凝集剤、ポリスルホン酸系凝集剤、ポリアクリル酸系凝集剤、ポリアクリル酸エステル系凝集剤、ポリアミン系凝集剤、ポリメタクリル酸凝集剤等の高分子凝集剤、界面活性剤等の低分子凝集剤（凝結剤）等が挙げられる。有機系凝集剤は、例えば、不図示の有機系凝集剤添加装置等から有機系凝集剤添加ライン１２を通して、第１凝集反応槽１０に供給される。
【００２３】
膜ろ過装置２０は、限外ろ過膜を備えるＵＦ膜装置、精密ろ過膜を備えるＭＦ膜装置のうち少なくともいずれか一方の装置を備えていればよい。ＵＦ膜装置やＭＦ膜装置は、例えば、限外ろ過膜や精密ろ過膜を密閉可能な容器に収納した少なくとも１つのモジュールから構成されている。限外ろ過膜や精密ろ過膜の形状は特に制限されるものではなく、例えば、中空糸膜、管状膜、平膜、スパイラル等が挙げられる。膜ろ過装置２０の通水方式は、内圧型、外圧型等のあらゆる通水方式が適用可能であり、クロスフローろ過やデッドエンドろ過等のあらゆるろ過方法が適用可能である。
【００２４】
限外ろ過膜や精密ろ過膜の材質は、例えば、ポリフッ化ビニリデン（ＰＶＤＦ）、ポリ塩化ビニル（ＰＶＣ）、ポリエーテルサルフォン（ＰＥＳ）、セルロースアセテート（ＣＡ）等の有機膜、セラミック製の無機膜等が挙げられる。
【００２５】
限外ろ過膜の分画分子量は、例えば、５，０００〜３６０，０００の範囲であり、１０，０００〜３６０，０００の範囲が好ましい。限外ろ過膜の細孔径は、例えば、０．０１〜０．１の範囲であり、０．０１〜０．０３の範囲が好ましい。精密ろ過膜の細孔径は、例えば、０．１〜０．５の範囲であり、０．１〜０．２の範囲が好ましい。
【００２６】
処理システム１で処理される被処理水は、特に制限されるものではなく、例えば懸濁物質、カルシウム等のスケール成分等の不純物を含む原水等であり、具体的には、工業排水（例えば、めっき系排水等）、水道水、地下水（例えば、井戸水、湧水、伏流水等）、地表水（例えば、河川水、湖沼水等）等である。
【００２７】
本実施形態の処理システム１の動作の一例を説明する。
【００２８】
被処理水が被処理水配管２２を通り、第１凝集反応槽１０に供給されると共に、有機系凝集剤が有機系凝集剤添加ライン１２から第１凝集反応槽１０に供給される。第１凝集反応槽１０内では、撹拌機２８ａにより被処理水と有機系凝集剤とが撹拌され、被処理水中の懸濁物質等の不純物がフロック化される。その後、有機系凝集剤を含む被処理水は、接続配管２４ａを通り、凝集沈殿槽１４に供給され、フロック化した懸濁物質等の不純物を汚泥として沈殿させる。
【００２９】
上澄み液は、凝集沈殿処理した処理水として、接続配管２４ｂを通り第２凝集反応槽１８に供給される。また、無機系凝集剤が、無機系凝集剤添加装置１５から無機系凝集剤添加ライン１６を通して、第２凝集反応槽１８に供給される。第２凝集反応槽１８内では、撹拌機２８ｂにより処理水と無機系凝集剤とが撹拌され、処理水中に残存する有機系凝集剤と無機系凝集剤とを接触させる。無機系凝集剤が添加された処理水は、接続配管２４ｃを通り膜ろ過装置２０に導入される。処理水中の不純物は、膜ろ過装置２０内の限外ろ過膜や精密ろ過膜により捕捉され、不純物が除去された処理水が処理水配管２６から排出される。得られた処理水は、例えば、食品加工工場、化学工場、半導体工場、機械工場等の洗浄水等として使用される。
【００３０】
膜ろ過装置２０は、膜ろ過処理により得られた処理水等を用いて定期的に逆洗され、膜表面に堆積した不純物は逆洗排水と共に系外へ排出されるか、或いは凝集沈殿槽１４に送液される。逆洗排水は、逆洗排水中の懸濁物質を沈降分離できる点、水回収率（処理水量／供給水量のことで、系外に排出すると水回収率が下がる。）の点等から、凝集沈殿槽１４に送液されることが好ましい。
【００３１】
通常、有機系凝集剤を含む処理水を、限外ろ過膜や精密ろ過膜等で膜ろ過処理すると、膜表面に有機系凝集剤が堆積し、膜のファウリングが引き起こされ易い。しかし、本実施形態では、有機系凝集剤に無機系凝集剤を接触させることで、有機系凝集剤上に無機系凝集剤が付着し、有機系凝集剤が、膜表面に付着し難い形態、或いは逆洗等で膜表面から容易に剥がれ易い形態に変化していると考えられる。したがって、無機系凝集剤を添加して膜ろ過処理することで、無機系凝集剤を添加しないで膜ろ過処理する場合と比べて、膜のファウリングを抑制し、安定な運転が可能となる。ところで、有機系凝集剤を用いた凝集沈殿処理において、有機系凝集剤と共に無機系凝集剤を添加して凝集沈殿することも考えられるが、このような系でも凝集沈殿処理により得られる処理水には一定量の有機系凝集剤（例えば無機系凝集剤が付着していない有機系凝集剤）が残存するため、本実施形態のように凝集沈殿処理した処理水に無機系凝集剤を添加して膜ろ過処理する方法と比べて、膜のファウリングを十分に抑制することは困難であり、安定した処理を行うことは難しい。
【００３２】
無機系凝集剤の添加量は、膜のファウリングを抑制することができる添加量であれば特に制限されるものではないが、例えば、被処理水中の有機系凝集剤の濃度（ｍｇ／Ｌ）に対して０．５倍〜７５倍の範囲であることが好ましく、経済性の観点から０．５倍〜２．５倍の範囲であることがより好ましい。無機系凝集剤の添加量が、０．５倍未満であると、膜のファウリング抑制ができないと考えられ、７５倍を超えると、無機凝集剤由来のフロックによるろ過抵抗が大きくなると考えられる。したがって、上記範囲を満たす方が、上記範囲を満たさない場合と比較して、膜のファウリングを効果的に抑制することが可能となる。
【００３３】
本実施形態では、有機系凝集剤を用いた凝集沈殿処理により得られる処理水を例に説明したが、有機系凝集剤を用いた凝集加圧浮上処理により得られる処理水でも同様の効果が得られる。凝集加圧浮上処理は、例えば、従来公知の加圧浮上処理等である（例えば、特許５２３９６５３参照）。
【００３４】
有機系凝集剤と無機系凝集剤との接触率を高める点では、凝集反応槽（図１に示す第２凝集反応槽１８）を設けることが望ましいが、設置スペースの削減等の点から、図２に示す処理システム２のように、凝集反応槽を設置せず、接続配管２４ｂに無機系凝集剤添加ライン１６を設置して、無機系凝集剤がライン注入されるように構成してもよい。
【００３５】
図３は、他の実施形態に係る処理システムの構成の一例を示す模式図である。図３に示す処理システム３において、図１に示す処理システム１と同様の構成については同一の符号を付しその説明を省略する。図３に示す処理システム３では、膜ろ過処理する際に、凝集沈殿処理（又は凝集加圧浮上処理）した処理水に酸化剤が添加されるように構成されている。具体的には、図３に示す処理システム３は、酸化剤添加手段としての酸化剤添加装置２９及び酸化剤添加ライン３０を備え、酸化剤が、酸化剤添加装置２９から酸化剤添加ライン３０を通して、第２凝集反応槽１８に添加される。なお、酸化剤の添加は、図２に示すライン注入でもよい。
【００３６】
有機系凝集剤として、例えばポリアクリルアミド系凝集剤等の高分子凝集剤が使用される場合、当該有機系凝集剤の平均分子量（重量平均分子量或いは数平均分子量）は、通常、後段の限外ろ過膜や精密ろ過膜の分画分子量より大きい。したがって、膜の分画分子量より大きい分子量を有する有機系凝集剤が処理水中に残存していると、膜のファウリングに影響を与えることとなる。なお、分画分子量は、既知の分子量を有する標準物質を透過させて阻止率９０％に相当する分子量から定めるものであり、例えば分画分子量５，０００の限外ろ過膜や精密ろ過膜に対して、分子量５，０００を超える高分子凝集剤を含む処理水を通水すれば、高分子凝集剤の９０％以上が捕捉される。
【００３７】
そこで、図３に示す処理システム３では、膜ろ過処理の際、処理水に酸化剤を添加することで、有機系凝集剤の分子の鎖を切断し、有機系凝集剤の分子量を限外ろ過膜や精密ろ過膜の分画分子量以下、好ましくは分画分子量より小さくする。その結果、有機系凝集剤の一部は膜に捕捉されず、処理水と共に膜を通過するため、無機系凝集剤のみの添加と比較して、膜のファウリングをより抑えることが可能となる。
【００３８】
酸化剤は、例えば、次亜塩素酸ナトリウム、次亜塩素酸カリウム等の次亜塩素酸アルカリ金属塩、次亜塩素酸カルシウム、次亜塩素酸バリウム等の次亜塩素酸アルカリ土類金属塩、亜塩素酸リチウム、亜塩素酸ナトリウム、亜塩素酸カリウム等の亜塩素酸アルカリ金属塩、亜塩素酸カルシウム、亜塩素酸バリウム等の亜塩素酸アルカリ土類金属塩、亜塩素酸ニッケル等の他の亜塩素酸金属塩、塩素酸アンモニウム、塩素酸ナトリウム等の塩素酸アルカリ金属塩、塩素酸カルシウム等の塩素酸アルカリ土類金属塩等が挙げられる。
【００３９】
酸化剤の添加量は、有機系凝集剤の分子量を膜の分画分子量以下にすることができる量であれば特に制限されるものではないが、例えば、凝集沈殿前の被処理水中の有機系凝集剤の濃度（ｍｇ／Ｌ）に対して０．５倍〜７５倍とすることが好ましく、０．５倍〜２．５とすることがより好ましい。
【００４０】
また、無機凝集剤の添加量を、前記凝集沈殿処理又は凝集加圧浮上処理した処理水において、ＬＣ−ＯＣＤにより検出される高分子有機物の濃度に応じて制御することが好ましい。ＬＣ−ＯＣＤとは、有機物を分子量で分画し、リテンションタイムごとに高分子有機物、フミン質、フミン分解生成物、低分子有機酸、低分子有機物等のピークが表示され、それぞれの濃度を定量できるものである。
【００４１】
膜の閉塞には高分子有機物が寄与していると考えられるから、前記凝集沈殿処理又は凝集加圧浮上処理した処理水中の有機物から高分子有機物の濃度を詳細に知ることで、添加する無機凝集剤の添加量をより適切な量に決定することができる。そして、ＬＣ−ＯＣＤにより検出される高分子有機物のピークの高低により、無機凝集剤の添加量を増減できるため、ランニングコストを低減することができる。
【００４２】
有機系凝集剤の分子量を小さくする方法は、酸化剤の添加以外に、処理水にせん断力を付与する方法も挙げられる。せん断力付与手段として、例えば、第２凝集反応槽１８に設置した撹拌機２８ｂを用い、処理水を撹拌してせん断力を付与することで、有機系凝集剤の分子の鎖を切断し、有機系凝集剤の分子量を限外ろ過膜や精密ろ過膜の分画分子量以下にする。例えば、撹拌速度や撹拌時間等を調整することで、有機系凝集剤の分子量を限外ろ過膜や精密ろ過膜の分画分子量以下にすることが可能となる。有機系凝集剤の分子量を小さくするために設定される撹拌速度は、例えば、２００ｒｐｍ〜１，０００ｒｐｍの範囲であり、７００ｒｐｍ〜１，０００ｒｐｍの範囲が好ましい。また、有機系凝集剤の分子量を小さくするために設定される撹拌時間は、例えば、５分〜1時間の範囲であり、３０分〜１時間の範囲が好ましい。
【００４３】
図４は、他の実施形態に係る処理システムの構成の一例を示す模式図である。図４の処理システム４において、図１に示す処理システム１と同様の構成については同一の符号を付しその説明を省略する。図４に示す処理システム４は、膜ろ過装置２０の後段に、活性炭が充填された活性炭装置３２、及び逆浸透膜を備える逆浸透膜装置３４を備えている。処理水配管２６ａの一端は、膜ろ過装置２０の出口に接続され、他端は、活性炭装置３２の入口に接続されている。また、処理水配管２６ｂの一端は、活性炭装置３２の出口に接続され、他端は、逆浸透膜装置３４の入口に接続されている。逆浸透膜装置３４の透過水出口には、透過水配管３６が接続され、濃縮水出口には濃縮水配管３８が接続されている。
【００４４】
本実施形態で用いられる逆浸透膜は、例えば、処理水中のイオン成分を除去できる膜であり、ナノろ過膜（ＮＦ膜）も含まれる。逆浸透膜の形状は特に制限されるものではなく、例えば、中空糸膜、管状膜、平膜、スパイラル等が挙げられる。逆浸透膜の材質は、例えば、ポリアミド系、ピペラジンアミド系、酢酸セルロース系などが挙げられる。
【００４５】
図４に示す処理システム４では、膜ろ過装置２０から排出される処理水が、処理水配管２６ａを通り、活性炭装置３２に供給される。活性炭装置３２により処理水中の不純物が除去された後、処理水配管２６ｂから、逆浸透膜装置３４に供給され、透過水と濃縮水とに分離される。逆浸透膜装置３４により得られる透過水（処理水）は、透過水配管３６から排出される。得られた透過水は、食品加工工場、化学工場、半導体工場、機械工場等の洗浄水としてだけでなく、例えば、希釈水、飲料水、中水、空調用水、純水用原水、リンサー原水、蒸気用水等として使用することも可能である。逆浸透膜装置３４により得られる濃縮水は、濃縮水配管３８から排出され、例えば不図示の貯留槽に貯留される。
【００４６】
図４に示す処理システム４は、活性炭装置３２及び逆浸透膜装置３４の両方を備えるものであるが、例えば最終的に得られる処理水の目標水質等に応じて、活性炭装置３２のみの設置、逆浸透膜装置３４のみの設置、或いは活性炭装置３２及び逆浸透膜装置３４の両方の設置が選択されればよい。なお、図での説明は省略するが、図２や図３に示す処理システムに、活性炭装置３２や逆浸透膜装置３４を設置してもよい。
【００４７】
図５は、他の実施形態に係る処理システムの構成の一例を示す模式図である。図５の処理システム５において、図１に示す処理システム１と同様の構成については同一の符号を付しその説明を省略する。図５に示す処理システム５は、ｐＨ調整手段の一例としてのｐＨ調整システムを備えている。ｐＨ調整システムは、ｐＨ調整剤添加装置４０、ｐＨ調整剤添加配管４２、水質検出装置４４、制御部４６を備えている。
【００４８】
ｐＨ調整剤添加装置４０は、例えば、ｐＨ調整剤を収容するタンク、ｐＨ調整剤を吐出するポンプ、バルブ等から構成されている。ｐＨ調整剤添加配管４２の一端は、ｐＨ調整剤添加装置４０に接続され、他端は第２凝集反応槽１８に接続されている。
【００４９】
水質検出装置４４は、ｐＨ値センサ、温度センサ、電気伝導率センサ、カルシウム硬度センサ、総アルカリ度センサを有し、第２凝集反応槽１８内の処理水のｐＨ値、水温、電気伝導率、カルシウム硬度、総アルカリ度を検出する。
【００５０】
制御部４６は、プロセッサ及びメモリを備え、機能ブロックとしてランゲリア指数算出部４８、ｐＨ調整剤量制御部５０を有する。ランゲリア指数算出部４８には、水質検出装置４４により検出された各検出値が入力される。ｐＨ調整剤量制御部５０は、ランゲリア指数算出部４８により算出されたランゲリア指数に基づいて、ｐＨ調整剤の添加量を算出し、ｐＨ調整剤添加装置４０によるｐＨ調整剤の添加量を制御する。
【００５１】
制御部４６のプロセッサは、例えば、メモリに記憶された処理プログラムに従い、ランゲリア指数を算出する処理、ｐＨ調整剤の添加量を制御する処理等の各処理を実行する。以下に制御部４６の動作の一例について説明する。
【００５２】
ランゲリア指数算出部４８は、水質検出装置４４により検出された検出値に基づいて、処理水のランゲリア指数を算出する。ランゲリア指数（ＬＳＩ）は、通常、次の式（１）により求められる。
ＬＳＩ＝ｐＨ−ｐＨｓ          （１）
【００５３】
式（１）において、ｐＨは処理水のｐＨ値である。また、ｐＨｓは、処理水において炭酸カルシウムが溶解も析出もしない平衡状態にあるときの理論上のｐＨ値であり、次の式（２）により求められる。
ｐＨｓ＝９．３＋Ａ値＋Ｂ値−Ｃ値−Ｄ値          （２）
【００５４】
式（２）において、Ａ値は、蒸発残留物濃度により定まる補正値である。蒸発残留物濃度は、電気伝導率と相関があるため、所定の換算式を用いて電気伝導率から蒸発残留物濃度を求めることができる。Ｂ値は、水温により定まる補正値である。Ｃ値は、カルシウム硬度により定まる補正値である。Ｄ値は、総アルカリ度により定まる補正値である。Ａ〜Ｄ値は、水質検出装置４４の検出値から関係式を用いて、或いは数値テーブルを参照して求めることができる。
【００５５】
ランゲリア指数は、水系におけるスケール発生傾向を評価するための一般的な指標であり、正の値で絶対値が大きいほど炭酸カルシウムが析出しやすいことを示し、また、負の値で絶対値が大きいほど炭酸カルシウムが析出しにくいことを示す。また、ランゲリア指数が０のときは、炭酸カルシウムが析出も溶解もしない平衡状態にある。このことから、処理水のランゲリア指数が０未満の場合は、限外ろ過膜や精密ろ過膜の膜面において炭酸カルシウムによるスケールが生成しにくい状態にあり、逆に、０を超える場合は、膜面において炭酸カルシウムによるスケールが生成しやすいことになる。
【００５６】
そこで、ｐＨ調整剤量制御部５０は、算出された処理水のランゲリア指数が０以上の場合、処理水のランゲリア指数が０未満となるように、ｐＨ調整剤の添加量を設定する。そして、ｐＨ調整剤添加装置４０は、設定されたｐＨ調整剤の添加量に基づいて、処理水にｐＨ調整剤を添加し、処理水のランゲリア指数を０未満にする。処理水のランゲリア指数は、式（１）から明らかなように、処理水のｐＨの低下とともに小さくなり、ｐＨの上昇とともに大きくなる。したがって、処理水のランゲリア指数は、処理水のｐＨを調整することで制御可能である。
【００５７】
本実施形態の処理システム５は、例えば、フッ素を含有する排水を処理するシステムとして有効である。フッ素を含有する排水（被処理水）に対する凝集沈殿処理又は加圧浮上処理においては、フッ素を回収するために、当該被処理水に有機系凝集剤と共に、カルシウム剤を添加する場合がある。このような凝集沈殿処理又は加圧浮上処理により得られる処理水には、カルシウムが含まれる場合があり、処理水のランゲリア指数が０以上となり易い。その結果、限外ろ過膜や精密ろ過膜の表面にスケールが生成する場合がある。しかし、本実施形態では、前述したように、処理水のランゲリア指数が０未満となるように（マイナスの値となるように）処理水のｐＨを調整するため、スケールの生成が抑制される。したがって、膜のファウリングをより抑制することが可能となり、より安定的な運転が可能となる。なお、図での説明は省略するが、図２〜図４に示す処理システムに、ｐＨ調整システムを設置してもよい。
【００５８】
（参考例）
図６は、参考例における処理システムの構成を示す模式図である。図６に示す処理システム６において、図１に示す処理システム１と同様の構成については同一の符号を付し、その説明を省略する。図６に示す処理システム６では、膜ろ過処理する際に、凝集沈殿処理（又は凝集加圧浮上処理）した処理水に、無機系凝集剤は添加されず、酸化剤が酸化剤添加装置２９から酸化剤添加ライン３０を通して第２凝集反応槽１８内に添加されるように構成されている。なお、酸化剤の添加は、図２に示すライン注入でもよい。
【００５９】
図６に示す処理システム６では、膜ろ過処理の際、処理水に酸化剤を添加することで、有機系凝集剤の分子の鎖を切断し、有機系凝集剤の分子量を限外ろ過膜や精密ろ過膜の分画分子量以下、好ましくは分画分子量より小さくする。その結果、有機系凝集剤の一部は膜に捕捉されず、処理水と共に膜を通過するため、無機系凝集剤のみの添加と比較して、膜のファウリングをより抑えることが可能となる。
【００６０】
酸化剤の添加量は、有機系凝集剤の分子量を膜の分画分子量以下にすることができる量であれば特に制限されるものではないが、例えば、被処理水中の有機系凝集剤の濃度（ｍｇ／Ｌ）に対して２．５倍〜１００倍とすることが好ましく、２０倍〜５０とすることがより好ましい。
【００６１】
有機系凝集剤の分子量を小さくする方法は、酸化剤の添加以外に、処理水にせん断力を付与する方法も挙げられる。せん断力付与手段として、例えば、第２凝集反応槽１８に設置した撹拌機２８ｂを用い、処理水を撹拌してせん断力を付与することで、有機系凝集剤の分子の鎖を切断し、有機系凝集剤の分子量を限外ろ過膜や精密ろ過膜の分画分子量以下にする。有機系凝集剤の分子量を小さくするために設定される撹拌速度は、例えば、２００ｒｐｍ〜１，０００ｒｐｍの範囲であり、７００ｒｐｍ〜１，０００ｒｐｍの範囲が好ましい。また、有機系凝集剤の分子量を小さくするために設定される撹拌時間は、例えば、５分〜１時間の範囲であり、３０分〜１時間の範囲が好ましい。なお、図での説明は省略するが、図６に示す処理システムを図２〜５に示す処理システムに適用することも可能である。
【実施例１】
【００６２】
以下、実施例及び比較例を挙げ、本発明をより具体的に詳細に説明するが、本発明は、以下の実施例に限定されるものではない。【００６３】
（実施例１）
図１に示す処理システムを用いて、表１に示す水質のめっき系排水を処理した。【００６４】
【表１】
0006735830.tif 000002
【００６５】
実施例１の膜ろ過装置として、ＵＦ膜装置を用いた。ＵＦ膜装置の詳細は以下に示す通りである。
寸法：外径２３０ｍｍ×高さ２４００ｍｍ
ろ過面積（膜面積）：７７ｍ２
限外ろ過膜：中空糸膜、ＰＶＤＦ製、公称孔径０．０１μｍ（公称分画分子量３６０，０００Ｄａ）
ろ過方式：外圧式デッドエンドろ過
処理流量：９．６ｍ３／ｈ【００６６】
表１に示す水質のめっき系排水に、有機系凝集剤としてポリアクリルアミド系ポリマーを１．０ｐｐｍ添加し、凝集沈殿処理を行った後、上澄み水を第２凝集反応槽に供給した。第２凝集反応槽に無機系凝集剤として塩化鉄を７５ｐｐｍ添加した後、膜ろ過装置（ＵＦ膜装置）に通水し、膜ろ過処理を行った。【００６７】
（実施例２）
無機系凝集剤（塩化鉄）を７５ｐｐｍから１０ｐｐｍに変更したこと以外は、実施例１と同様の処理を行った。【００６８】
（比較例１）
無機系凝集剤（塩化鉄）を添加しなかったこと以外は、実施例１と同様の処理を行った。【００６９】
（比較例２）
有機系凝集剤（ポリアクリルアミド系ポリマー）を１．０ｐｐｍから０．５ｐｐｍに変更し、無機系凝集剤（塩化鉄）を添加しなかったこと以外は、実施例１と同様の処理を行った。【００７０】
表２に、実施例１〜２、及び比較例１〜２の膜ろ過処理により得られた処理水の水質結果を示す。また、図７に、実施例１〜２、及び比較例１〜２における膜ろ過装置のろ過量（ｍ３／ｍ２）に対するろ過抵抗（１／ｍ）の結果を示す。【００７１】
【表２】
0006735830.tif 000003
【００７２】
図７に示すように、有機系凝集剤を用いた凝集沈殿処理により得られる処理水に無機系凝集剤を添加して膜ろ過処理を実施した実施例１及び２は、上記処理水に無機系凝集剤を添加しないでそのまま膜ろ過処理を実施した比較例１及び２と比較して、ろ過量が増加してもろ過抵抗の上昇が抑えられた。ろ過量の増加に対するろ過抵抗の上昇率は、膜のファウリングによるろ過性能の低下を示している。したがって、実施例１及び２の処理方法は、膜のファウリングが抑えられ、安定的な運転が可能であることを示している。なお、比較例２より有機系凝集剤の添加量の多い比較例１の方が、比較例２よりろ過抵抗の上昇率が高いことを鑑みると、膜のファウリングには、処理水に残存する有機系凝集剤が寄与していると言える。一方、実施例１及び２は、比較例１と同量の有機系凝集剤が添加されているが、ろ過量が増加してもろ過抵抗はほとんど上昇せず、膜のファウリングが抑えられている。これは無機系凝集剤を添加することで、処理水中の有機系凝集剤が膜表面に付着しにくい形態に変化したためであると考えられる。【００７３】
また、表２に示すように、実施例１及び２では、処理水のＴＯＣが低減しており、残留していた有機系凝集剤が処理されていることを確認した。【００７４】
（実施例３）
有機系凝集剤（ポリアクリルアミド系ポリマー）を１．０ｐｐｍから５．０ｐｐｍに変更し、無機系凝集剤（塩化鉄）を７５ｐｐｍから２．５ｐｐｍに変更したこと以外は、実施例１と同様の処理を行った。【００７５】
（比較例３）
表１に示す水質のめっき系排水に、有機系凝集剤として（ポリアクリルアミド系ポリマー）を５．０ｐｐｍ添加すると共に、無機系凝集剤として塩化鉄を１ｐｐｍ添加して、凝集沈殿処理を行った後、上澄み水をそのまま膜ろ過装置（前述のＵＦ膜装置）に通水し、膜ろ過処理を行った。【００７６】
表３に、実施例３及び比較例３の膜ろ過処理により得られた処理水の水質結果を示す。【００７７】
【表３】
0006735830.tif 000004
【００７８】
図８に、実施例３及び比較例３における膜ろ過装置のろ過量（ｍ３／ｍ２）に対するろ過抵抗（１／ｍ）の結果を示す。実施例３のろ過抵抗の上昇率は、実施例１及び２と同様であった。一方、比較例３の濾過抵抗の上昇率は、無機系凝集剤の添加量が同じ実施例３と比較して高い結果となったが、無機系凝集剤を添加していない比較例１，２と比べて低い結果となった。これらの結果から、膜のファウリングを抑制するには、有機系凝集剤を用いた凝集沈殿処理により得られる処理水に、無機系凝集剤を添加する必要があるといえる。【００７９】
（実施例４）
無機系凝集剤を塩化鉄からポリ塩化アルミニウム（ＰＡＣ）に代え、添加量を７５ｐｐｍから５０ｐｐｍに変更したこと以外は、実施例１と同様の処理を行った。【００８０】
（比較例４）
原水のサンプリング日時を変更したこと以外は、比較例１と同様の処理を行った。
【００８１】
図９に、実施例４及び比較例４における膜ろ過装置のろ過量（ｍ３／ｍ２）に対するろ過抵抗（１／ｍ）の結果を示す。無機系凝集剤としてＰＡＣを用いた実施例４は、実施例１〜３と同様に、ろ過量が増加してもろ過抵抗はほとんど上昇せず、膜のファウリングが抑えられた。一方、無機凝集剤を添加していない比較例４は、ろ過量の増加に伴いろ過抵抗が上昇した。【００８２】
（実施例５〜１０）
図１に示す処理システムを用いて、模擬排水を処理した。模擬排水は、水道水にベントナイト１０ｍｇ／Ｌを分散させたものである。膜ろ過装置は、実施例１と同じＵＦ膜装置である。【００８３】
実施例５では、上記模擬排水に、有機系凝集剤としてポリアクリル酸系ポリマー（オルガノ社製、ＯＸ−３０４（カチオン系ポリマー））を１．０ｐｐｍ添加し、凝集沈殿処理を行った後、上澄み水を第２凝集反応槽に供給した。第２凝集反応槽に無機系凝集剤としてＰＡＣを１０ｐｐｍ添加した後、膜ろ過装置（ＵＦ膜装置）に通水し、膜ろ過処理を行った。【００８４】
実施例６では、有機系凝集剤をポリアクリル酸系ポリマー（オルガノ社製、ＯＸ−３０４（カチオン系ポリマー））からアクリルアミド系ポリマー（オルガノ社製、ＡＰ−１（アニオン系ポリマー））に代えたこと以外は、実施例５と同様に膜ろ過処理を行った。【００８５】
実施例７では、有機系凝集剤をポリアクリル酸系ポリマー（オルガノ社製、ＯＸ−３０４（カチオン系ポリマー））からポリアクリルアミド系ポリマー（オルガノ社製、ＯＮ−１Ｈ（ノニオン系ポリマー））に代えたこと以外は、実施例５と同様に膜ろ過処理を行った。【００８６】
実施例８では、無機凝集剤をＰＡＣから塩化鉄（ＦｅＣｌ３）に代えたこと以外は、実施例５と同様に膜ろ過処理を行った。【００８７】
実施例９では、無機凝集剤をＰＡＣから塩化鉄（ＦｅＣｌ３）に代えたこと以外は、実施例６と同様に膜ろ過処理を行った。【００８８】
実施例１０では、無機凝集剤をＰＡＣから塩化鉄（ＦｅＣｌ３）に代えたこと以外は、実施例７と同様に膜ろ過処理を行った。【００８９】
（比較例５〜７）
比較例５では、無機凝集剤を添加しなかったこと以外は、実施例５と同様に膜ろ過処理を行った。【００９０】
比較例６では、無機凝集剤を添加しなかったこと以外は、実施例６と同様に膜ろ過処理を行った。【００９１】
比較例７では、無機凝集剤を添加しなかったこと以外は、実施例７と同様に膜ろ過処理を行った。【００９２】
実施例５〜１０及び比較例５〜７において、膜ろ過装置に通水してから２００ｍｌのろ液を得るまでの時間（ろ過時間）を計測した。その結果を表４に示す。ろ過時間が長いほどろ過抵抗の上昇が早いことを意味する。【００９３】
【表４】
0006735830.tif 000005
【００９４】
有機系凝集剤及び無機系凝集剤を添加した実施例５〜１０はいずれも、有機系凝集剤のみを添加した比較例５〜７と比べて、ろ過時間が短縮された。すなわち、実施例５〜１０は、比較例５〜７より、ろ過抵抗の上昇が抑制されたと言える。
【符号の説明】
【００９５】
１〜６  処理システム、１０  第１凝集反応槽、１２  有機系凝集剤添加ライン、１４凝集沈殿槽、１５  無機系凝集剤添加装置、１６  無機系凝集剤添加ライン、１８  第２凝集反応槽、２０  膜ろ過装置、２２  被処理水配管、２４ａ〜２４ｃ  接続配管、２６，２６ａ，２６ｂ  処理水配管、２８ａ，２８ｂ  撹拌機、２９  酸化剤添加装置、３０  酸化剤添加ライン、３２  活性炭装置、３４  逆浸透膜装置、３６  透過水配管、３８  濃縮水配管、４０  ｐＨ調整剤添加装置、４２  ｐＨ調整剤添加配管、４４  水質検出装置、４６  制御部、４８  ランゲリア指数算出部、５０  ｐＨ調整剤量制御部。
【図１】
0006735830.tif 000006
【図２】
0006735830.tif 000007
【図３】
0006735830.tif 000008
【図４】
0006735830.tif 000009
【図５】
0006735830.tif 000010
【図６】
0006735830.tif 000011
【図７】
0006735830.tif 000012
【図８】
0006735830.tif 000013
【図９】
0006735830.tif 000014